(57)【要約】【課題】  簡易な構成で、移動受信によるチャンネルスキャンを簡単に、かつ確実に行える技術を提供することにより上記課題を解決することにある。【解決手段】  アンテナの特性が良い固定受信機により、移動受信用のチャンネルスキャンを行い、移動受信用のチャンネル情報（物理チャンネル（周波数）や論理チャンネル（例えば、リモコンＩＤ）、伝送パラメータ等）を取得し、これを移動受信機に伝送する。移動受信機では、固定受信機からの移動受信用のチャンネル情報に基づいて、視聴を行う。【選択図】図１
2005210386.tif 000002
【特許請求の範囲】
【請求項１】
少なくとも第１の階層と、前記第１の階層よりも所要ＣＮ比が高い第２の階層とを用いて放送が行われるデジタル放送におけるチャンネルスキャンシステムであって、
前記第１の階層のチャンネルスキャンを行うことにより、前記第１の階層のチャンネル情報を取得する手段と、
前記第１の階層のチャンネル情報を、前記第１の階層用の受信機に伝送する伝送手段と
を有する第２の階層用受信機と、
前記第２の階層用受信機からの第１の階層のチャンネル情報を受信する受信手段と、
前記受信した第１の階層のチャンネル情報が記憶される記憶手段と、
前記第１の階層のチャンネル情報に基づいて、第１の階層の放送を視聴する視聴手段と
を有する第１の階層用受信機と
を有することを特徴とするチャンネルスキャンシステム。
【請求項２】
少なくとも第１の階層と、前記第１の階層よりも所要ＣＮ比が高い第２の階層とを用いて放送が行われるデジタル放送におけるチャンネルスキャンシステムであって、
チャンネルスキャンを行うことにより、前記第１の階層のチャンネル情報を取得する手段と、
チャンネルスキャンを行うことにより、前記第２の階層のチャンネル情報を取得する手段と、
前記第１の階層のチャンネル情報と前記第２の階層のチャンネル情報とを双方取得できたチャンネルの第１のチャンネル情報群と、前記第１の階層のチャンネル情報のみ取得できたチャンネルの第２のチャンネル情報群とに、第１の階層のチャンネル情報を分類する手段と、
前記分類された第１の階層のチャンネル情報を、前記第１の階層用の受信機に伝送する伝送手段と
を有する第２の階層用受信機と、
前記第２の階層用受信機からの第１の階層のチャンネル情報を受信する受信手段と、
前記受信した第１の階層のチャンネル情報が記憶される記憶手段と、
前記記憶手段に記憶されている第１の階層のチャンネル情報のうち、前記第１のチャンネル情報群のチャンネル情報をプリセットし、このプリセットされた第１のチャンネル情報群のチャンネル情報に基づいて、第１の階層の放送を視聴し、前記プリセットされた第１のチャンネル情報群のチャンネル情報では視聴困難となった場合、前記プリセットされた第１のチャンネル情報群のチャンネル情報に代えて前記第２のチャンネル情報群のチャンネル情報をセットし、この第２のチャンネル群のチャンネル情報に基づいて、第１の階層の放送を視聴する視聴手段と
を有する第１の階層用受信機と
を有することを特徴とするチャンネルスキャンシステム。
【請求項３】
前記チャンネル情報は、少なくとも物理チャンネルと、これに対応する論理チャンネルとであることを特徴とする請求項１又は請求項２に記載のチャンネルスキャンシステム。
【請求項４】
前記第２の階層用受信機は、
チャンネルスキャンを行うことにより、第２の階層のチャンネル情報を取得する手段と、
前記第２の階層のチャンネル情報のうち、所定の物理チャンネルに対応する論理チャンネルを他の論理チャンネルに変更する第２の階層の論理チャンネル変更手段と、
取得した第１の階層のチャンネル情報の論理チャンネルのうち、前記第２の階層の論理チャンネル変更手段で変更された論理チャンネルに対応する論理チャンネルを、第２の階層の論理チャンネル変更で変更されたと同じ他の論理チャンネルに変更する第１の階層の論理チャンネル変更手段と
を有することを特徴とする請求項３に記載のチャンネルスキャンシステム。
【請求項５】
前記第２の階層用受信機は、伝送手段に代えて、第１の階層のチャンネル情報を外部の記録媒体に格納する格納手段を有し、
前記第１の階層用受信機は、前記記録媒体から第１の階層のチャンネル情報を読取り、内部の記憶手段に格納する読取り手段を有する
ことを特徴とする請求項１から請求項４のいずれかに記載のチャンネルスキャンシステム。
【請求項６】
前記第１の階層用受信機が、移動受信向け階層用の受信機であることを特徴とする請求項１から請求項５のいずれかに記載のチャンネルスキャンシステム。
【請求項７】
前記第２の階層用受信機が、固定受信向け階層用の受信機であることを特徴とする請求項１から請求項６のいずれかに記載のチャンネルスキャンシステム。
【請求項８】
少なくとも第１の階層と、前記第１の階層よりも所要ＣＮ比が高い第２の階層とを用いて放送が行われるデジタル放送において、前記第１の階層の放送を受信する為のチャンネル情報を取得する受信機であって、
前記第１の階層のチャンネルスキャンを行うことにより、前記第１の階層のチャンネル情報を取得する手段と、
前記第１の階層のチャンネル情報を、第１の階層用の受信機に伝送する伝送手段と
を有することを特徴とする受信機。
【請求項９】
少なくとも第１の階層と、前記第１の階層よりも所要ＣＮ比が高い第２の階層とを用いて放送が行われるデジタル放送において、前記第１の階層の放送を受信する為のチャンネル情報を取得する受信機であって、
チャンネルスキャンを行うことにより、前記第１の階層のチャンネル情報を取得する手段と、
チャンネルスキャンを行うことにより、前記第２の階層のチャンネル情報を取得する手段と、
前記第１の階層のチャンネル情報と前記第２の階層のチャンネル情報とを双方取得できたチャンネルの第１のチャンネル情報群と、前記第１の階層のチャンネル情報のみ取得できたチャンネルの第２のチャンネル情報群とに、第１の階層のチャンネル情報を分類する手段と、
前記分類された第１の階層のチャンネル情報を、第１の階層用の受信機に伝送する伝送手段と
を有することを特徴とする受信機。
【請求項１０】
前記チャンネル情報は、少なくとも物理チャンネルと、これに対応する論理チャンネルとであることを特徴とする請求項８又は請求項９に記載の受信機。
【請求項１１】
チャンネルスキャンを行うことにより、第２の階層のチャンネル情報を取得する手段と、
前記第２の階層のチャンネル情報のうち、所定の物理チャンネルに対応する論理チャンネルを他の論理チャンネルに変更する第２の階層の論理チャンネル変更手段と、
取得した第１の階層のチャンネル情報の論理チャンネルのうち、前記第２の階層の論理チャンネル変更手段で変更された論理チャンネルに対応する論理チャンネルを、第２の階層の論理チャンネル変更で変更されたと同じ他の論理チャンネルに変更する第１の階層の論理チャンネル変更手段と
を有することを特徴とする請求項１０に記載の受信機。
【請求項１２】
伝送手段に代えて、第１の階層のチャンネル情報を外部の記録媒体に格納する格納手段を有することを特徴とする請求項８から請求項１１のいずれかに記載の受信機。
【請求項１３】
前記受信機は、固定受信向け階層用の受信機であることを特徴とする請求項８から請求項１２のいずれかに記載の受信機。
【請求項１４】
少なくとも第１の階層と、前記第１の階層よりも所要ＣＮ比が高い第２の階層とを用いて放送が行われるデジタル放送において、前記第１の階層の放送を視聴する受信機であって、
外部の機器から前記第１の階層の放送を受信する為のチャンネル情報を受信する手段と、
前記受信した第１の階層のチャンネル情報が記憶される記憶手段と、
前記第１の階層のチャンネル情報に基づいて、第１の階層の放送を視聴する視聴手段と
を有することを特徴とする受信機。
【請求項１５】
少なくとも第１の階層と、前記第１の階層よりも所要ＣＮ比が高い第２の階層とを用いて放送が行われるデジタル放送において、ある所定の受信地点において、前記第１の階層のチャンネル情報と前記第２の階層のチャンネル情報とを双方取得できたチャンネルの第１のチャンネル情報群と、前記第１の階層のチャンネル情報のみ取得できたチャンネルの第２のチャンネル情報群とに分類された第１の階層のチャンネル情報に基づいて、前記第１の階層の放送を視聴する受信機であって、
外部の機器より前記分類された第１の階層のチャンネル情報を受信する受信手段と、
前記受信した第１の階層のチャンネル情報が記憶される記憶手段と、
前記記憶手段に記憶されている第１の階層のチャンネル情報のうち、前記第１のチャンネル情報群のチャンネル情報をプリセットし、このプリセットされた第１のチャンネル情報群のチャンネル情報に基づいて、第１の階層の放送を視聴し、前記プリセットされた第１のチャンネル情報群のチャンネル情報では視聴困難となった場合、前記プリセットされた第１のチャンネル情報群のチャンネル情報に代えて前記第２のチャンネル情報群のチャンネル情報をセットし、この第２のチャンネル情報群のチャンネル情報に基づいて、第１の階層の放送を視聴する視聴手段と
を有することを特徴とする受信機。
【請求項１６】
前記チャンネル情報は、少なくとも物理チャンネル、これに対応する論理チャンネルとであることを特徴とする請求項１４又は請求項１５に記載の受信機。
【請求項１７】
記録媒体から第１の階層のチャンネル情報を読取り、内部の記憶手段に格納する読取り手段を有することを特徴とする請求項１４から請求項１６のいずれかに記載の受信機。
【請求項１８】
前記受信機が、移動受信向け階層用の受信機であることを特徴とする請求項１４から請求項１７のいずれかに記載の受信機。
【請求項１９】
少なくとも第１の階層と、前記第１の階層よりも所要ＣＮ比が高い第２の階層とを用いて放送を行うデジタル放送における視聴方法であって、
第２の階層用の受信機において、前記第１の階層のチャンネルスキャンを行うことにより、前記第１の階層のチャンネル情報を取得し、この第１の階層のチャンネル情報を、第１の階層用の受信機に伝送し、
第１の階層用の受信機は、第２の階層用の受信機からの第１の階層のチャンネル情報を記憶し、この第１の階層のチャンネル情報に基づいて、第１の階層の放送を視聴することを特徴とするデジタル放送の視聴方法。
【請求項２０】
少なくとも第１の階層と、前記第１の階層よりも所要ＣＮ比が高い第２の階層とを用いて放送が行われるデジタル放送における視聴方法であって、
第２の階層用の受信機において、チャンネルスキャンを行うことにより、前記第１の階層のチャンネル情報と前記第２の階層のチャンネル情報とを取得し、前記第１の階層のチャンネル情報と前記第２の階層のチャンネル情報とを双方取得できたチャンネルの第１のチャンネル情報群と、前記第１の階層のチャンネル情報のみ取得できたチャンネルの第２のチャンネル情報群とに第１の階層のチャンネル情報を分類し、この分類された第１の階層のチャンネル情報を、第１の階層用の受信機に伝送し、
第１の階層用の受信機は、前記第２の階層用受信機からの第１の階層のチャンネル情報を受信し、第１の階層のチャンネル情報のうち、前記第１のチャンネル情報群のチャンネル情報をプリセットし、このプリセットされた第１のチャンネル情報群のチャンネル情報に基づいて、第１の階層の放送を視聴し、前記プリセットされた第１のチャンネル情報群では視聴困難となった場合、前記プリセットされた第１のチャンネル情報群のチャンネル情報に代えて前記第２のチャンネル情報群のチャンネル情報をセットし、この第２のチャンネル情報群のチャンネル情報に基づいて、第１の階層の放送を視聴することを特徴とするデジタル放送の視聴方法。
【請求項２１】
少なくとも第１の階層と、前記第１の階層よりも所要ＣＮ比が高い第２の階層とを用いて放送が行われるデジタル放送において、前記第１の階層の放送を受信する為のチャンネル情報を取得する受信機の制御プログラムであって、
前記制御プログラムは受信機を、
前記第１の階層のチャンネルスキャンを行うことにより、前記第１の階層のチャンネル情報を取得する手段と、
前記第１の階層のチャンネル情報を、第１の階層用の受信機に伝送する伝送手段と
して機能させることを特徴とする受信機の制御プログラム。
【請求項２２】
少なくとも第１の階層と、前記第１の階層よりも所要ＣＮ比が高い第２の階層とを用いて放送が行われるデジタル放送において、前記第１の階層の放送を受信する為のチャンネル情報を取得する受信機の制御プログラムであって、
前記制御プログラムは受信機を、
チャンネルスキャンを行うことにより、前記第１の階層のチャンネル情報を取得する手段と、
チャンネルスキャンを行うことにより、前記第２の階層のチャンネル情報を取得する手段と、
前記第１の階層のチャンネル情報と前記第２の階層のチャンネル情報とを双方取得できたチャンネルの第１のチャンネル情報群と、前記第１の階層のチャンネル情報のみ取得できたチャンネルの第２のチャンネル情報群とに、第１の階層のチャンネル情報を分類する手段と、
前記分類された第１の階層のチャンネル情報を、第１の階層用の受信機に伝送する伝送手段と
して機能させることを特徴とする受信機の制御プログラム。
【請求項２３】
前記チャンネル情報は、少なくとも物理チャンネルと、これに対応する論理チャンネルとであることを特徴とする請求項２１又は請求項２２に記載の受信機の制御プログラム。
【請求項２４】
前記制御プログラムは受信機を、
チャンネルスキャンを行うことにより、第２の階層のチャンネル情報を取得する手段と、
前記第２の階層のチャンネル情報のうち、所定の物理チャンネルに対応する論理チャンネルを他の論理チャンネルに変更する第２の階層の論理チャンネル変更手段と、
取得した第１の階層のチャンネル情報の論理チャンネルのうち、前記第２の階層の論理チャンネル変更手段で変更された論理チャンネルに対応する論理チャンネルを、第２の階層の論理チャンネル変更で変更されたと同じ他の論理チャンネルに変更する第１の階層の論理チャンネル変更手段と
して機能させることを特徴とする請求項２３に記載の受信機の制御プログラム。
【請求項２５】
前記制御プログラムは受信機を、
伝送手段に代えて、第１の階層のチャンネル情報を外部の記録媒体に格納する格納手段として機能させることを特徴とする請求項２１から請求項２４のいずれかに記載の受信機の制御プログラム。
【請求項２６】
少なくとも第１の階層と、前記第１の階層よりも所要ＣＮ比が高い第２の階層とを用いて放送が行われるデジタル放送において、前記第１の階層の放送を視聴する受信機の制御プログラムであって、
前記制御プログラムは受信機を、
外部の機器から前記第１の階層の放送を受信する為のチャンネル情報を受信する手段と、
前記第１の階層のチャンネル情報に基づいて、第１の階層の放送を視聴する視聴手段と
して機能させることを特徴とする受信機の制御プログラム。
【請求項２７】
少なくとも第１の階層と、前記第１の階層よりも所要ＣＮ比が高い第２の階層とを用いて放送が行われるデジタル放送において、ある所定の受信地点において、前記第１の階層のチャンネル情報と前記第２の階層のチャンネル情報とを双方取得できたチャンネルの第１のチャンネル情報群と、前記第１の階層のチャンネル情報のみ取得できたチャンネルの第２のチャンネル情報群とに分類された第１の階層のチャンネル情報に基づいて、前記第１の階層の放送を視聴する受信機の制御プログラムであって、
外部の機器より前記分類された第１の階層のチャンネル情報を受信する受信手段と、
前記第１の階層のチャンネル情報のうち、前記第１のチャンネル情報群のチャンネル情報をプリセットし、このプリセットされた第１のチャンネル情報群のチャンネル情報に基づいて、第１の階層の放送を視聴し、前記プリセットされた第１のチャンネル情報群のチャンネル情報では視聴困難となった場合、前記プリセットされた第１のチャンネル情報群のチャンネル情報に代えて前記第２のチャンネル情報群のチャンネル情報をセットし、この第２のチャンネル情報群のチャンネル情報に基づいて、第１の階層の放送を視聴する視聴手段と
して機能させることを特徴とする受信機の制御プログラム。
【請求項２８】
前記チャンネル情報は、少なくとも物理チャンネル、これに対応する論理チャンネルとであることを特徴とする請求項２６又は請求項２７に記載の受信機の制御プログラム。
【請求項２９】
前記制御プログラムは受信機を、記録媒体から第１の階層のチャンネル情報を読取り、内部の記憶手段に格納する読取り手段として機能させることを特徴とする請求項２６から請求項２８のいずれかに記載の受信機の制御プログラム。
【発明の詳細な説明】
【技術分野】
【０００１】
本発明はデジタル放送のチャンネルスキャンシステムに関し、例えば移動受信の為の物理チャンネル（周波数）や、論理チャンネル、変調情報等のチャンネル情報を取得する為の技術に関する。
【背景技術】
【０００２】
地上波デジタル放送が実現され、その放送エリアも順次拡大されつつある。この地上波デジタル放送は、テレビ放送サービスや、データ放送サービスなどを提供する放送事業者が地域により異なり、またUHF独立局なども地方に多数存在することから、各放送事業者に割当てる周波数を全国ユニークにすることができない。このことから、送信マスター単位かつ放送局のトランスポートストリーム単位で構成されるネットワークが１つのネットワークの括りとして想定される。
【０００３】
また、地上波デジタル放送で伝送方式として採用しているＯＦＤＭ（直交周波数分割）伝送方式は、構成ネットワークの特性に合わせた伝送パラメータ（モード、ガードインターバル比）が選択可能である。
【０００４】
上記想定するネットワークエリアにおいて、デジタル放送受信機は、チャンネルスキャン（サーチ）によりチャンネル情報を取得して、設置地域での番組に対する周波数と伝送パラメータ（モード、ガードインターバル比）等のテーブルを作成する。そして、選局時にはそのテーブルから選局番組に対応する周波数（物理チャンネル）と、この周波数に対応する伝送パラメータを参照して選局を行う。
【０００５】
しかし、デジタル放送受信機が、例えば、移動受信を想定した携帯受信機や、移動体受信機等では、上記想定ネットワークの放送エリアから、隣接するエリアへ移動していく場合、デジタル放送受信機が移動先エリアのチャンネル情報（物理チャンネルや論理チャンネル、モード及びガードインターバル比等の伝送パラメータ）のテーブルを保有しておらず、対応する選局情報を取得するために、そのエリアにおいてチャンネルスキャン（サーチ）を行わなければならない。
【０００６】
このチャンネルスキャン（サーチ）には、数分間を要するのが一般的である。しかし、移動を前提とする移動受信の場合、固定受信とは異なり、絶えず受信環境が変化するので、数分間のチャンネルスキャン（サーチ）は非現実的である。
【０００７】
また、移動受信の場合、受信状況が良好でない場所でチェンネルスキャンを行うと、チャンネルによってはスキャン漏れが発生する。この場合、再度スキャンしない限り、スキャンが漏れたチャンネルの放送局は受信できなくなるという問題点もあった。
【０００８】
また、放送エリア間の移動が、テレビ放送などのサービスを受けている場合に発生すると、映像が数分間に渡ってフリーズするなどの障害を生じてしまう。さらに、移動したエリアにおいて今まで受けていた系列番組を視聴し続けるためには、チャンネルスキャン（サーチ）後、再度チャンネルを選択し、入力しなければならないという問題があった。
【０００９】
そこで、ＧＰＳ機能を利用して位置情報を取得し、その位置情報に基づいて移動先エリアのチャンネル情報（物理チャンネル（周波数）や論理チャンネルと、伝送パラメータ）のテーブルを、通信経由で取得することにより、チャンネルスキャン（サーチ）の時間を短縮する技術が開示されている。
【００１０】
また、NITに自局の情報と、送信マスター局のTSを放送する放送エリアに隣接する全ての放送エリアにおける夫々の送信マスター系列に属する送信局の情報とを記述して放送する。これにより、隣接する放送エリアへ移動する際に、実行するチャンネルスキャン（サーチ）時間を短縮することが可能であり、また、移動前に視聴していた系列局の番組に、自動選局することが可能となる技術も開示されている（例えば、特許文献１）。
【００１１】
【特許文献１】特開２００２−３５９８２５
【発明の開示】
【発明が解決しようとする課題】
【００１２】
しかしながら、上述した位置情報を取得してテーブルを、通信経由で取得する方法は、受信機にＧＰＳ機能等の位置情報を取得する手段や、通信手段が必要となり、これらの手段を持たない移動受信機では利用することができない。
【００１３】
また、特許文献１に開示されている技術は、隣接する放送エリアの情報も放送する必要があるため、特別な作業が必要となり、放送業者の手数が多くなる。
【００１４】
また、地域によっては、物理チャンネルが異なるため、論理チャンネルが同一であるチャンネルを受信できる場合があり、利用者は同一の論理チャンネルのいずれか一方を、他の論理チャンネルに変更している場合が多かった。このような場合、移動受信の場合も、同じ現象が起こり、同様な変更を、利用者がしなければならなかった。
【００１５】
そこで、本発明は上記課題に鑑みて発明されたものであって、その目的は簡易な構成で、移動受信によるチャンネルスキャンを簡単に、かつ確実に行える技術を提供することにより上記課題を解決することにある。
【００１６】
また、本発明の目的は家庭等に設置された固定受信機で視聴しているチャンネルや環境を、そのまま、外に持ち出せるような感覚で移動受信による視聴を行える技術を提供することにより上記課題を解決することにある。
【課題を解決するための手段】
【００１７】
上記課題を解決する第１の発明は、少なくとも第１の階層と、前記第１の階層よりも所要ＣＮ比が高い第２の階層とを用いて放送が行われるデジタル放送におけるチャンネルスキャンシステムであって、
前記第１の階層のチャンネルスキャンを行うことにより、前記第１の階層のチャンネル情報を取得する手段と、
前記第１の階層のチャンネル情報を、前記第１の階層用の受信機に伝送する伝送手段と
を有する第２の階層用受信機と、
前記第２の階層用受信機からの第１の階層のチャンネル情報を受信する受信手段と、
前記受信した第１の階層のチャンネル情報が記憶される記憶手段と、
前記第１の階層のチャンネル情報に基づいて、第１の階層の放送を視聴する視聴手段と
を有する第１の階層用受信機と
を有することを特徴とする。
【００１８】
上記課題を解決する第２の発明は、少なくとも第１の階層と、前記第１の階層よりも所要ＣＮ比が高い第２の階層とを用いて放送が行われるデジタル放送におけるチャンネルスキャンシステムであって、
チャンネルスキャンを行うことにより、前記第１の階層のチャンネル情報を取得する手段と、
チャンネルスキャンを行うことにより、前記第２の階層のチャンネル情報を取得する手段と、
前記第１の階層のチャンネル情報と前記第２の階層のチャンネル情報とを双方取得できたチャンネルの第１のチャンネル情報群と、前記第１の階層のチャンネル情報のみ取得できたチャンネルの第２のチャンネル情報群とに、第１の階層のチャンネル情報を分類する手段と、
前記分類された第１の階層のチャンネル情報を、前記第１の階層用の受信機に伝送する伝送手段と
を有する第２の階層用受信機と、
前記第２の階層用受信機からの第１の階層のチャンネル情報を受信する受信手段と、
前記受信した第１の階層のチャンネル情報が記憶される記憶手段と、
前記記憶手段に記憶されている第１の階層のチャンネル情報のうち、前記第１のチャンネル情報群のチャンネル情報をプリセットし、このプリセットされた第１のチャンネル情報群のチャンネル情報に基づいて、第１の階層の放送を視聴し、前記プリセットされた第１のチャンネル情報群のチャンネル情報では視聴困難となった場合、前記プリセットされた第１のチャンネル情報群のチャンネル情報に代えて前記第２のチャンネル情報群のチャンネル情報をセットし、この第２のチャンネル群のチャンネル情報に基づいて、第１の階層の放送を視聴する視聴手段と
を有する第１の階層用受信機と
を有することを特徴とする。
【００１９】
上記課題を解決する第３の発明は、上記第１又は第２の発明において、前記チャンネル情報は、少なくとも物理チャンネルと、これに対応する論理チャンネルとであることを特徴とする。
【００２０】
上記課題を解決する第４の発明は、上記第３の発明において、前記第２の階層用受信機は、チャンネルスキャンを行うことにより、第２の階層のチャンネル情報を取得する手段と、前記第２の階層のチャンネル情報のうち、所定の物理チャンネルに対応する論理チャンネルを他の論理チャンネルに変更する第２の階層の論理チャンネル変更手段と、取得した第１の階層のチャンネル情報の論理チャンネルのうち、前記第２の階層の論理チャンネル変更手段で変更された論理チャンネルに対応する論理チャンネルを、第２の階層の論理チャンネル変更で変更されたと同じ他の論理チャンネルに変更する第１の階層の論理チャンネル変更手段とを有することを特徴とする。
【００２１】
上記課題を解決する第５の発明は、上記第１から第４のいずれかの発明において、前記第２の階層用受信機は、伝送手段に代えて、第１の階層のチャンネル情報を外部の記録媒体に格納する格納手段を有し、
前記第１の階層用受信機は、前記記録媒体から第１の階層のチャンネル情報を読取り、内部の記憶手段に格納する読取り手段を有することを特徴とする。
【００２２】
上記課題を解決する第６の発明は、上記第１から第５のいずれかの発明において、前記第１の階層用受信機が、移動受信向け階層用の受信機であることを特徴とする。
【００２３】
上記課題を解決する第７の発明は、上記第１から第６のいずれかの発明において、前記第２の階層用受信機が、固定受信向け階層用の受信機であることを特徴とする。
【００２４】
上記課題を解決する第８の発明は、少なくとも第１の階層と、前記第１の階層よりも所要ＣＮ比が高い第２の階層とを用いて放送が行われるデジタル放送において、前記第１の階層の放送を受信する為のチャンネル情報を取得する受信機であって、
前記第１の階層のチャンネルスキャンを行うことにより、前記第１の階層のチャンネル情報を取得する手段と、
前記第１の階層のチャンネル情報を、第１の階層用の受信機に伝送する伝送手段と
を有することを特徴とする。
【００２５】
上記課題を解決する第９の発明は、少なくとも第１の階層と、前記第１の階層よりも所要ＣＮ比が高い第２の階層とを用いて放送が行われるデジタル放送において、前記第１の階層の放送を受信する為のチャンネル情報を取得する受信機であって、
チャンネルスキャンを行うことにより、前記第１の階層のチャンネル情報を取得する手段と、
チャンネルスキャンを行うことにより、前記第２の階層のチャンネル情報を取得する手段と、
前記第１の階層のチャンネル情報と前記第２の階層のチャンネル情報とを双方取得できたチャンネルの第１のチャンネル情報群と、前記第１の階層のチャンネル情報のみ取得できたチャンネルの第２のチャンネル情報群とに、第１の階層のチャンネル情報を分類する手段と、
前記分類された第１の階層のチャンネル情報を、第１の階層用の受信機に伝送する伝送手段と
を有することを特徴とする。
【００２６】
上記課題を解決する第１０の発明は、上記第８又は第９の発明において、前記チャンネル情報は、少なくとも物理チャンネルと、これに対応する論理チャンネルとであることを特徴とする。
【００２７】
上記課題を解決する第１１の発明は、上記第１０の発明において、チャンネルスキャンを行うことにより、第２の階層のチャンネル情報を取得する手段と、前記第２の階層のチャンネル情報のうち、所定の物理チャンネルに対応する論理チャンネルを他の論理チャンネルに変更する第２の階層の論理チャンネル変更手段と、取得した第１の階層のチャンネル情報の論理チャンネルのうち、前記第２の階層の論理チャンネル変更手段で変更された論理チャンネルに対応する論理チャンネルを、第２の階層の論理チャンネル変更で変更されたと同じ他の論理チャンネルに変更する第１の階層の論理チャンネル変更手段とを有することを特徴とする。
【００２８】
上記課題を解決する第１２の発明は、上記第８から第１１のいずれかの発明において、伝送手段に代えて、第１の階層のチャンネル情報を外部の記録媒体に格納する格納手段を有することを特徴とする。
【００２９】
上記課題を解決する第１３の発明は、上記第８から第１２のいずれかの発明において、前記受信機は、固定受信向け階層用の受信機であることを特徴とする。
【００３０】
上記課題を解決する第１４の発明は、少なくとも第１の階層と、前記第１の階層よりも所要ＣＮ比が高い第２の階層とを用いて放送が行われるデジタル放送において、前記第１の階層の放送を視聴する受信機であって、
外部の機器から前記第１の階層の放送を受信する為のチャンネル情報を受信する手段と、
前記受信した第１の階層のチャンネル情報が記憶される記憶手段と、
前記第１の階層のチャンネル情報に基づいて、第１の階層の放送を視聴する視聴手段と
を有することを特徴とする。
【００３１】
上記課題を解決する第１５の発明は、少なくとも第１の階層と、前記第１の階層よりも所要ＣＮ比が高い第２の階層とを用いて放送が行われるデジタル放送において、ある所定の受信地点において、前記第１の階層のチャンネル情報と前記第２の階層のチャンネル情報とを双方取得できたチャンネルの第１のチャンネル情報群と、前記第１の階層のチャンネル情報のみ取得できたチャンネルの第２のチャンネル情報群とに分類された第１の階層のチャンネル情報に基づいて、前記第１の階層の放送を視聴する受信機であって、
外部の機器より前記分類された第１の階層のチャンネル情報を受信する受信手段と、
前記受信した第１の階層のチャンネル情報が記憶される記憶手段と、
前記記憶手段に記憶されている第１の階層のチャンネル情報のうち、前記第１のチャンネル情報群のチャンネル情報をプリセットし、このプリセットされた第１のチャンネル情報群のチャンネル情報に基づいて、第１の階層の放送を視聴し、前記プリセットされた第１のチャンネル情報群のチャンネル情報では視聴困難となった場合、前記プリセットされた第１のチャンネル情報群のチャンネル情報に代えて前記第２のチャンネル情報群のチャンネル情報をセットし、この第２のチャンネル情報群のチャンネル情報に基づいて、第１の階層の放送を視聴する視聴手段と
を有することを特徴とする。
【００３２】
上記課題を解決する第１６の発明は、上記第１４又は第１５の発明において、前記チャンネル情報は、少なくとも物理チャンネル、これに対応する論理チャンネルとであることを特徴とする。
【００３３】
上記課題を解決する第１７の発明は、上記第１４から第１６のいずれかの発明において、記録媒体から第１の階層のチャンネル情報を読取り、内部の記憶手段に格納する読取り手段を有することを特徴とする。
【００３４】
上記課題を解決する第１８の発明は、上記第１４から第１７のいずれかの発明において、前記受信機が、移動受信向け階層用の受信機であることを特徴とする。
【００３５】
上記課題を解決する第１９の発明は、少なくとも第１の階層と、前記第１の階層よりも所要ＣＮ比が高い第２の階層とを用いて放送を行うデジタル放送における視聴方法であって、
第２の階層用の受信機において、前記第１の階層のチャンネルスキャンを行うことにより、前記第１の階層のチャンネル情報を取得し、この第１の階層のチャンネル情報を、第１の階層用の受信機に伝送し、
第１の階層用の受信機は、第２の階層用の受信機からの第１の階層のチャンネル情報を記憶し、この第１の階層のチャンネル情報に基づいて、第１の階層の放送を視聴することを特徴とする。
【００３６】
上記課題を解決する第２０の発明は、少なくとも第１の階層と、前記第１の階層よりも所要ＣＮ比が高い第２の階層とを用いて放送が行われるデジタル放送における視聴方法であって、
第２の階層用の受信機において、チャンネルスキャンを行うことにより、前記第１の階層のチャンネル情報と前記第２の階層のチャンネル情報とを取得し、前記第１の階層のチャンネル情報と前記第２の階層のチャンネル情報とを双方取得できたチャンネルの第１のチャンネル情報群と、前記第１の階層のチャンネル情報のみ取得できたチャンネルの第２のチャンネル情報群とに第１の階層のチャンネル情報を分類し、この分類された第１の階層のチャンネル情報を、第１の階層用の受信機に伝送し、
第１の階層用の受信機は、前記第２の階層用受信機からの第１の階層のチャンネル情報を受信し、第１の階層のチャンネル情報のうち、前記第１のチャンネル情報群のチャンネル情報をプリセットし、このプリセットされた第１のチャンネル情報群のチャンネル情報に基づいて、第１の階層の放送を視聴し、前記プリセットされた第１のチャンネル情報群では視聴困難となった場合、前記プリセットされた第１のチャンネル情報群のチャンネル情報に代えて前記第２のチャンネル情報群のチャンネル情報をセットし、この第２のチャンネル情報群のチャンネル情報に基づいて、第１の階層の放送を視聴することを特徴とする。
【００３７】
上記課題を解決する第２１の発明は、少なくとも第１の階層と、前記第１の階層よりも所要ＣＮ比が高い第２の階層とを用いて放送が行われるデジタル放送において、前記第１の階層の放送を受信する為のチャンネル情報を取得する受信機の制御プログラムであって、
前記制御プログラムは受信機を、
前記第１の階層のチャンネルスキャンを行うことにより、前記第１の階層のチャンネル情報を取得する手段と、
前記第１の階層のチャンネル情報を、第１の階層用の受信機に伝送する伝送手段と
して機能させることを特徴とする。
【００３８】
上記課題を解決する第２２の発明は、少なくとも第１の階層と、前記第１の階層よりも所要ＣＮ比が高い第２の階層とを用いて放送が行われるデジタル放送において、前記第１の階層の放送を受信する為のチャンネル情報を取得する受信機の制御プログラムであって、
前記制御プログラムは受信機を、
チャンネルスキャンを行うことにより、前記第１の階層のチャンネル情報を取得する手段と、
チャンネルスキャンを行うことにより、前記第２の階層のチャンネル情報を取得する手段と、
前記第１の階層のチャンネル情報と前記第２の階層のチャンネル情報とを双方取得できたチャンネルの第１のチャンネル情報群と、前記第１の階層のチャンネル情報のみ取得できたチャンネルの第２のチャンネル情報群とに、第１の階層のチャンネル情報を分類する手段と、
前記分類された第１の階層のチャンネル情報を、第１の階層用の受信機に伝送する伝送手段と
して機能させることを特徴とする。
【００３９】
上記課題を解決する第２３の発明は、上記第２１又は第２２の発明において、前記チャンネル情報は、少なくとも物理チャンネルと、これに対応する論理チャンネルとであることを特徴とする。
【００４０】
上記課題を解決する第２４の発明は、上記第２３の発明において、前記制御プログラムは受信機を、チャンネルスキャンを行うことにより、第２の階層のチャンネル情報を取得する手段と、前記第２の階層のチャンネル情報のうち、所定の物理チャンネルに対応する論理チャンネルを他の論理チャンネルに変更する第２の階層の論理チャンネル変更手段と、取得した第１の階層のチャンネル情報の論理チャンネルのうち、前記第２の階層の論理チャンネル変更手段で変更された論理チャンネルに対応する論理チャンネルを、第２の階層の論理チャンネル変更で変更されたと同じ他の論理チャンネルに変更する第１の階層の論理チャンネル変更手段として機能させることを特徴とする。
【００４１】
上記課題を解決する第２５の発明は、上記第２１から第２４のいずれかの発明において、前記制御プログラムは受信機を、伝送手段に代えて、第１の階層のチャンネル情報を外部の記録媒体に格納する格納手段として機能させることを特徴とする。
【００４２】
上記課題を解決する第２６の発明は、少なくとも第１の階層と、前記第１の階層よりも所要ＣＮ比が高い第２の階層とを用いて放送が行われるデジタル放送において、前記第１の階層の放送を視聴する受信機の制御プログラムであって、
前記制御プログラムは受信機を、
外部の機器から前記第１の階層の放送を受信する為のチャンネル情報を受信する手段と、
前記第１の階層のチャンネル情報に基づいて、第１の階層の放送を視聴する視聴手段と
して機能させることを特徴とする。
【００４３】
上記課題を解決する第２７の発明は、少なくとも第１の階層と、前記第１の階層よりも所要ＣＮ比が高い第２の階層とを用いて放送が行われるデジタル放送において、ある所定の受信地点において、前記第１の階層のチャンネル情報と前記第２の階層のチャンネル情報とを双方取得できたチャンネルの第１のチャンネル情報群と、前記第１の階層のチャンネル情報のみ取得できたチャンネルの第２のチャンネル情報群とに分類された第１の階層のチャンネル情報に基づいて、前記第１の階層の放送を視聴する受信機の制御プログラムであって、
外部の機器より前記分類された第１の階層のチャンネル情報を受信する受信手段と、
前記第１の階層のチャンネル情報のうち、前記第１のチャンネル情報群のチャンネル情報をプリセットし、このプリセットされた第１のチャンネル情報群のチャンネル情報に基づいて、第１の階層の放送を視聴し、前記プリセットされた第１のチャンネル情報群のチャンネル情報では視聴困難となった場合、前記プリセットされた第１のチャンネル情報群のチャンネル情報に代えて前記第２のチャンネル情報群のチャンネル情報をセットし、この第２のチャンネル情報群のチャンネル情報に基づいて、第１の階層の放送を視聴する視聴手段と
して機能させることを特徴とする。
【００４４】
上記課題を解決する第２８の発明は、上記第２６又は第２７の発明において、前記チャンネル情報は、少なくとも物理チャンネル、これに対応する論理チャンネルとであることを特徴とする。
【００４５】
上記課題を解決する第２９の発明は、上記第２６から第２８のいずれかの発明において、前記制御プログラムは受信機を、記録媒体から第１の階層のチャンネル情報を読取り、内部の記憶手段に格納する読取り手段として機能させることを特徴とする。
【発明の効果】
【００４６】
本発明によれば、チャンネルスキャンを行いたい階層のチャンネルスキャンを、この階層よりも所要ＣＮ比が高い階層の受信機を用いて行うので、チャンネルスキャンを正確に行うことができるという効果を奏する。。例えば、移動受信を考えた場合、外で移動している状況下のチャンネルスキャンよりも、テレビ等の固定設置された受信機によるチャンネルスキャンの方がより、チャンネル情報を正確に安定して得ることができる。
【００４７】
また、家庭等に設置された固定受信機で視聴しているチャンネルや環境を、そのまま、外に持ち出せるような感覚で移動受信による視聴を行えるとい優れた効果も奏する。
【発明を実施するための最良の形態】
【００４８】
本発明は、少なくとも第１の階層と、第１の階層よりも所要ＣＮ比が高い第２の階層とを用いて放送を行うデジタル放送において、第２の階層の放送を受信する為の受信機に、第１の階層のチャンネルスキャンを行うことにより、第１の階層のチャンネル情報を取得する手段と、第１の階層のチャンネル情報を、第１の階層用の受信機に伝送する伝送手段を設ける。また、第１の階層の放送を受信する為の受信機に、第２の階層用受信機からの第１の階層のチャンネル情報を受信する受信手段と、受信した第１の階層のチャンネル情報が記憶される記憶手段と、第１の階層のチャンネル情報に基づいて、第１の階層の放送を視聴する視聴手段とを設ける。
【００４９】
ここで、デジタル放送における所要ＣＮ比とは、内符号訂正後に2×10-4を達成するＣＮ比を言う。そして、通常、第１の階層は強階層と呼ばれ、第１の階層よりも所要ＣＮ比が高い第２の階層は弱階層と呼ばれ、２階層伝送の場合、第１の階層は移動受信用に割当てられ、第２の階層は固定受信用に割当てられる。尚、３階層受信の場合は、階層伝送時に最も所要ＣＮ比が低い階層が強階層と呼ばれ、階層伝送時に最も所要ＣＮ比が高い階層が弱階層と呼ばれ、最もアンテナ等の受信環境が悪い移動受信用に強階層が割当てられ、固定受信用に弱階層が割当てられるのが普通である。
【００５０】
通常、第１の階層の放送エリア、すなわち移動受信用の放送エリアと、第２の階層の放送エリア、すなわち固定受信用の放送エリアとは、若干、第１の階層の放送エリアの方が狭いが、ほぼ同一である。一方、固定受信は良いアンテナで受信するが、変調方式が弱いため受信しにくいという特性があり、移動受信は変調方式が強いため受信しやすいが、携帯のアンテナの特性が悪いため受信しにくいという特性を有する。
【００５１】
このようなデジタル放送の特徴に鑑みて本発明は構成されたものであり、例えば、アンテナの特性が良い固定受信機により、移動受信用のチャンネルスキャンを行い、移動受信用のチャンネル情報（物理チャンネル（周波数）や論理チャンネル（例えば、リモコンＩＤ）、伝送パラメータ等）を取得し、これを移動受信機に伝送する。移動受信機では、固定受信機からの移動受信用のチャンネル情報に基づいて、視聴を行う。これにより、安定して移動受信用のチャンネル情報を取得できる。
【００５２】
更に、固定受信機はアンテナの特性が良く、かつ、移動受信は変調方式が強いため受信しやすいので、固定受信機では、移動受信の階層のチャンネル情報を隣接エリアまで収得できる可能性がある。そこで、チャンネル情報を、固定用放送、移動用放送ともに取得できたものと、移動用放送のみ取得できたものにわけ、ともに取得できたチャンネル情報は受信地点の放送エリアのものであり、移動用放送のみ取得できたチャンネル情報は受信地点の放送エリアに隣接する隣接エリアのチャンネル情報とみなし、隣接エリアのチャンネル情報も取得できるように構成した。これにより、チャンネルスキャンの回数を少なくすることができる。
【００５３】
更に、固定受信機において、論理チャンネルが重複している等の理由で、利用者が論理チャンネルを変更している場合、この論理チャンネルの変更を移動受信用のチャンネル情報にも反映させることにより、家庭等に設置された固定受信機で視聴しているチャンネルや環境を、そのまま、外に持ち出せるのである。
【００５４】
尚、移動受信用の階層、特に携帯テレビの受信階層よりも、所要ＣＮ比が高い階層が複数ある場合、最も所要ＣＮ比が高い弱階層の受信機でチャンネルスキャンをするのが好ましいが、移動受信用の階層よりも、所要ＣＮ比が高い階層の受信機であれば、同様な効果を得ることも可能である。例えば、携帯テレビの受信階層よりも所要ＣＮ比が高い固定受信用の階層以外に、列車や車等の車内向け放送用の階層があり、この階層も携帯テレビの受信階層よりも所要ＣＮ比が高い場合、携帯テレビのチャンネルスキャンを、車内向け受信機で行っても良い。通常、車内向け受信機のアンテナ等の受信環境は携帯テレビよりも良いからである。この場合、第１の階層用受信機が携帯テレビにあたり、第２の階層用受信機が車内向け受信機にあたる。
【００５５】
また、ここで、チャンネルスキャンとは、デジタル放送において割当てられている全チャンネルのチャンネル情報を取得する為のスキャンのみならず、特定の物理チャンネルだけのスキャンも含む。例えば、アナログ放送終了後、アナログ放送の空きチャンネルを利用してデジタルチャンネルを再編成する際行われるチャンネルリパッキングの場合等、特定物理チャンネルの変更に伴うチャンネルスキャンも含む概念である。
【００５６】
また、第２の階層用受信機から第１の階層用受信機へのチャンネル情報の伝送手段であるが、ケーブル等による有線による伝送、ブルートゥース（Bluetooth）や赤外線（例えば、IrDA）等の無線による伝送等の種類を問わない。また、コンパクトフラッシュ（登録商標）や、ＳＤカード等のメモリカードによる記録媒体を介しての伝達でもかまわない。
【００５７】
以下、本発明は具体的な実施例について述べる。
【実施例１】
【００５８】
本発明の実施例１を説明する。
【００５９】
図１は本発明におけるチャンネルスキャンシステムの一構成図である。
【００６０】
本発明のチャンネルスキャンシステムは、家庭等に設置され、通常は固定受信用の階層の放送を受信して視聴を行う固定受信機１と、移動受信を目的とし、移動受信用の階層の放送を受信して視聴を行う移動受信機２とを有する。
【００６１】
固定受信機１は、チャンネルスキャン部１１と送信部１２とを有する。
【００６２】
チャンネルスキャン部１１は、チャンネルスキャンを行い、移動受信用の階層のチャンネル情報を取得するものである。ここで、チャンネル情報は、少なくとも物理チャンネル（周波数）とこれに対応する論理チャンネル（リモコン等のボタンに用いられる）であり、更に好ましくは伝送パラメータ（変調方法や、モード情報、ガードインターバル比）である。取得されるチャンネル情報の一例を、図２に示す。
【００６３】
送信部１２は、取得した移動受信用のチャンネル情報を、移動受信機２に送信するものである。
【００６４】
移動受信機２は、受信部２１と、記憶部２２と、選局部２３とを有する。
【００６５】
受信部２１は、送信部１２から送信されたチャンネル情報を受信する。そして、記憶部２２に出力され、記憶部２２に記憶される。
【００６６】
選局部２３は、記憶部２２に記憶されているチャンネル情報に基づいて、選局を行う。
【００６７】
このように、本発明によれば、家庭等に設置された固定受信機で視聴しているチャンネルや環境を、そのまま、外に持ち出せ、移動受信機によるデジタル放送の視聴が可能となる。
【実施例２】
【００６８】
実施例２は、固定受信機はアンテナの特性が良く、かつ、移動受信は変調方式が強いため受信しやすいので、固定受信機では、移動受信の階層のチャンネル情報を隣接エリアまで収得できるという点に着目したものである。
【００６９】
以下、実施例２について述べる。
【００７０】
図３は本発明の実施例２におけるチャンネルスキャンシステムの一構成図である。
【００７１】
実施例２のチャンネルスキャンシステムは、家庭等に設置され、通常は固定受信用の階層の放送を受信して視聴を行う固定受信機１００と、移動受信を目的とし、移動受信用の階層の放送を受信して視聴を行う移動受信機２００とを有する。
【００７２】
固定受信機１００は、チャンネルスキャン部１１１と送信部１１２とを有する。
【００７３】
チャンネルスキャン部１１１は、チャンネルスキャンを行い、固定受信用の階層のチャンネル情報と移動受信用の階層のチャンネル情報とを取得する。そして、固定受信用の階層のチャンネル情報と移動受信用の階層のチャンネル情報とを、双方取得できた第１のチャンネル群と、移動受信用の階層のチャンネル情報のみ取得できた第２のチャンネル群とに分けてチャンネル情報を保持する。ここで、チャンネル情報は、少なくとも物理チャンネル（周波数）と、これに対応する論理チャンネル（リモコン等のボタンに用いられる）であり、更に好ましくは伝送パラメータ（変調方法や、モード情報、ガードインターバル比等）である。
【００７４】
ここで、第１のチャンネル群と第２のチャンネル群とに分けてチャンネル情報を保持する理由は、以下の通りである。
【００７５】
上述したように、固定受信用の放送エリアと移動受信用の放送エリアとは、ほぼ同一の範囲（エリア）である。従って、固定受信用の階層のチャンネル情報と移動受信用の階層のチャンネル情報とを双方取得できるチャンネルは、固定受信機が設置されている場所の放送エリアのチャンネルである。
【００７６】
一方、上述したように、固定受信機は感度の良い固定アンテナを用いて受信しているので、変調方式が弱いために固定受信用の階層のチャンネル情報は受信できないが、隣接する隣接エリアの移動受信用の階層のチャンネル情報を取得できる可能性がある。
【００７７】
そこで、チャンネル情報を第１のチャンネル群と第２のチャンネル群とに分け、第１のチャンネル群のチャンネル情報は受信地点の放送エリアのものであり、第２のチャンネル群のチャンネル情報は受信地点の放送エリアに隣接する隣接エリアのチャンネル情報とみなす。
【００７８】
図４に、第１のチャンネル群と第２のチャンネル群とに分けたチャンネル情報の一例を示す。
【００７９】
送信部１１２は、取得した第１のチャンネル群及び第２のチャンネル群のチャンネル情報を、移動受信機２００に送信する。
【００８０】
移動受信機２００は、受信部２１０と、記憶部２１２と、チャンネル群選択部２１３と、選局部２１４とを有する。
【００８１】
受信部２１０は、送信部１１２から送信された第１のチャンネル群及び第２のチャンネル群のチャンネル情報を受信する。そして、記憶部２１２に出力する。
【００８２】
記憶部２１２には、第１のチャンネル群のチャンネル情報と、第２のチャンネル群のチャンネル情報とが区別された形で記憶される。
【００８３】
チャンネル群選択部２１３は、記憶部２１２に記憶されているチャンネル群のチャンネル情報のうち、第１のチャンネル群のチャンネル情報を、まずプリセットしておく。その後、隣接放送エリアの移動等により、第１のチャンネル群のチャンネル情報では、受信できない場合には、第２のチャンネル群のチャンネル情報に変更する。
【００８４】
選局部２１４は、チャンネル群選択部２１３により選択されているチャンネル情報に基づいて、選局を行う。
【００８５】
次に、上述の構成における動作を説明する。
【００８６】
まず、チャンネルスキャン部１１１におけるチャンネルスキャンの動作について説明する。図５はチャンネルスキャンの動作フローチャートである。
【００８７】
チャンネルスキャンが開始されると（Ｓｔｅｐ  １００）、周波数（物理チャンネル）設定される（Ｓｔｅｐ  １０１）。そして、モード・ガードサーチ等により同期をロックする（Ｓｔｅｐ  １０２）。
【００８８】
ロックができたならば、固定向け階層が受信可能かどうか判断する（Ｓｔｅｐ  １０３）。固定向け階層が受信可能であれば、移動向け階層が受信可能かどうか判断する（Ｓｔｅｐ  １０４）。移動向け階層が受信可能であれば、現在位置するエリアの移動向け階層のチャンネルとして登録する（第１のチャンネル群）（Ｓｔｅｐ  １０５）。移動向け階層が受信不可能であれば、固定向け階層のチャンネルのみ登録する（Ｓｔｅｐ  １０６）。
【００８９】
一方、固定向け階層が受信不可能であれば、移動向け階層が受信可能かどうか判断する（Ｓｔｅｐ  １０７）。移動向け階層が受信可能であれば、隣接エリアの移動向け階層のチャンネルとして登録する（第２のチャンネル群）（Ｓｔｅｐ  １０８）。
【００９０】
そして、最終チャンネルかの判断を行い（Ｓｔｅｐ  １０９）、最終チャンネルであれば、チャンネルリストを提示し（Ｓｔｅｐ  １１０）、重複チャンネルなどの修正を行い（Ｓｔｅｐ  １１１）、終了する。
【００９１】
一方、最終チャンネルでないならば、周波数（物理チャンネル）をアップさせて（Ｓｔｅｐ  １１２）、Ｓｔｅｐ  １０１に戻って繰り返す。そして、これらの情報を、送信部１１２を介して移動受信機２００に送信する。
【００９２】
移動受信機２００では、受信したチャンネル情報のうち、第１のチャンネル群の情報を、まず、チャンネル群選択部２１３によりプリセットしておく。その後、隣接放送エリアの移動等により、第１のチャンネル群のチャンネル情報では、受信できない場合には、第２のチャンネル群のチャンネル情報に変更する。
【００９３】
この様子を、図６を用いて説明する。
【００９４】
まず、移動受信機が受信地点イに存在する場合には、第１のチャンネル群のチャンネル情報で移動向け階層の受信が可能である。しかし、移動受信機が地点ロを過ぎて地点ハに移動した場合、第１のチャンネル群のチャンネル情報で移動向け階層の受信が不可能である。通常は、ここで再度のチャンネルスキャンが必要となるが、既に、第２のチャンネル群のチャンネル情報、すなわち隣接エリアのチャンネル情報を入手しているので、チャンネル群選択部２１３は第２のチャンネル群のチャンネル情報に変更することにより、チャンネルスキャンが不要となる。
【実施例３】
【００９５】
実施例３を説明する。
【００９６】
受信地点よっては、物理チャンネルが異なるため、論理チャンネルが同一であるチャンネルを受信できる場合がある。例えば、物理チャンネルが“２１”及び論理チャンネルが“８”の放送Ｘと、物理チャンネルが“４０”及び論理チャンネルが“８”の放送Ｙとでは、物理チャンネルが異なるため、同一エリアで視聴が可能である。このような場合、利用者は、例えば、放送Ｙの論理チャンネル“８”を論理チャンネル“１０”に変更して両方のチャンネルを視聴できるよう、同一の論理チャンネルのいずれか一方を、他の論理チャンネルに変更している場合が多い。
【００９７】
そこで、実施例３は、上述のように、家庭等でのテレビ等の受信環境（視聴環境）を、そのまま、移動受信に適用できるようにしたものである。
【００９８】
実施例３では、実施例１の構成に加え、図７に示す如く、固定受信用及び移動受信用の階層のチャンネル情報を記録される記録部３００と、固定受信用の階層のチャンネル情報の論理チャンネルを変更する固定受信用論理チャンネル変更部３０１と、論理チャンネルが変更されたチャンネル情報を参照して、対応する移動受信用の階層のチャンネル情報の論理チャンネルを変更する移動受信用論理チャンネル変更部３０２とを有する。また、チャンネルスキャン部１１は、固定受信用の階層のチャンネル情報と移動受信用の階層のチャンネル情報とを取得するものとする。
【００９９】
このような構成において、固定受信機１の動作を説明する。
【０１００】
まず、チャンネルスキャン部１１は、固定受信用の階層のチャンネル情報を取得し、これを記録部３００に格納する。このとき、物理チャンネルが異なり、論理チャンネルが同一であるチャンネルがある場合には、その旨を利用者に通知する。例えば、図８に示す如く、物理チャンネルが“２１”及び論理チャンネルが“８”の放送と、物理チャンネルが“４０”及び論理チャンネルが“８”の放送があるような場合である。
【０１０１】
このような場合、利用者は、固定受信用論理チャンネル変更部３０１により、図９に示す如く、物理チャンネルが“４０”の論理チャンネル“８”を論理チャンネル“１０”に変更する。そして、変更結果を記録部３００に記憶する。
【０１０２】
続いて、チャンネルスキャン部１１により、取得された移動受信用の階層のチャンネル情報についても、図１０に示す如く、物理チャンネル“４０”の論理チャンネル“８”を論理チャンネル“１０”に自動的に変更し、変更結果を記録部３００に記憶する。
【０１０３】
移動受信用の階層のチャンネル情報を移動受信機２に送信する際には、論理チャンネルが変更されたチャンネル情報を送信する。
【０１０４】
このような構成にすることにより、家庭等でのテレビ等の受信環境（視聴環境）を、そのまま、移動受信に適用できる。
【０１０５】
尚、上述した実施例は、適時組み合わせが可能であり、例えば、実施例１、実施例２及び実施例３を組み合わせることも可能である。
【０１０６】
また、上述した実施例において、チャンネルスキャン部１１，１１１、送信部１２、１１２、受信部２１，２１１、選局部２３，２１４、チャンネル群選択部２１３、固定受信用論理チャンネル変更部３０１及び移動受信用論理チャンネル変更部３０２の一部又は全部を、制御プログラムで動作するＣＰＵ等の情報処理装置等で構成することも可能である。
【図面の簡単な説明】
【０１０７】
【図１】図１は実施例１のチャンネルスキャンシステムの一構成図である。
【０１０８】
【図２】図２は取得したチャンネル情報の一例である。
【０１０９】
【図３】図３は実施例２のチャンネルスキャンシステムの一構成図である。
【０１１０】
【図４】図４はチャンネルスキャンの動作フローチャートである。
【０１１１】
【図５】図５は取得したチャンネル情報の一例である。
【０１１２】
【図６】図６は移動受信におけるチャンネル情報の変更を説明する為の図である。
【０１１３】
【図７】図７は実施例３のチャンネルスキャンシステムの一構成図である。
【０１１４】
【図８】図８は論理チャンネルの変更を説明する為の図である。
【０１１５】
【図９】図９は論理チャンネルの変更を説明する為の図である。
【０１１６】
【図１０】図１０は論理チャンネルの変更を説明する為の図である。
【符号の説明】
【０１１７】
１，１００      固定受信機
２，２００      移動受信機
１１，１１１    チャンネルスキャン部
１２，１１２    送信部
２２，２１２    記憶部
２３，２１４    選局部
２１３          チャンネル群選択部
【図１】
2005210386.tif 000003
【図２】
2005210386.tif 000004
【図３】
2005210386.tif 000005
【図４】
2005210386.tif 000006
【図５】
2005210386.tif 000007
【図６】
2005210386.tif 000008
【図７】
2005210386.tif 000009
【図８】
2005210386.tif 000010
【図９】
2005210386.tif 000011
【図１０】
2005210386.tif 000012